(57)【要約】【課題】多段式キャビネットの上段キャビネットに上吊方式で引き戸を取り付ける場合に、上段キャビネットの引き戸面と下段キャビネットの扉面との連続性を確保してキャビネット全体の外観意匠性を良好なものとする引き戸取付構造を提供する。【解決手段】多段式キャビネットの上段キャビネット（１０）の引き戸取付構造であって、上段キャビネット（１０）の天板（１１）前方に固定される上レール部（４０）と、上レール部（４０）にスライド自在に吊り下げられる引き戸（３０）と、引き戸（３０）の下方を支持する下レール部（５０）とを有し、下レール部（５０）は上段キャビネット（１０）と下段キャビネット（２０）の間に嵌入され、引き戸（３０）の裏面に水平配置されたガイド突起部（１００）が下レール部（５０）に摺動自在に係合している。【選択図】    図１
2004225244.tif 000002
【特許請求の範囲】
【請求項１】
多段式キャビネットの上段キャビネットの引き戸取付構造であって、上段キャビネットの天板前方に固定される上レール部と、上レール部にスライド自在に吊り下げられる引き戸と、引き戸の下方を支持する下レール部とを有し、下レール部は上段キャビネットと下段キャビネットの間に嵌入され、引き戸の裏面に水平配置されたガイド突起部が下レール部に摺動自在に係合していることを特徴とする引き戸取付構造。
【請求項２】
上レール部の前面に化粧板が着脱自在に固定される請求項１の引き戸取付構造。
【請求項３】
上レール部が、その位置決め手段によって上キャビネット天板前方の所定位置に固定される請求項１または２の引き戸取付構造。
【発明の詳細な説明】
【０００１】
【発明の属する技術分野】
この出願の発明は、キャビネットの引き戸取付構造に関するものである。さらに詳しくは、この出願の発明は、複数個の箱体ユニットの組み合わせによって構成されるキャビネットに引き戸を取り付けるための構造に関するものである。
【０００２】
【従来の技術】
厨房やオフィス等において、複数個の箱体ユニットを組み合わせて構成したキャビネットが使用されている。そして、このようなユニットキャビネットにおいては、個々の箱体ユニットにそれぞれ扉を設けるのではなく、キャビネット本体に扉を設け、その扉の開閉によって複数の箱体ユニットを一度に開放する構造が採用されている。
【０００３】
扉の構造としては、主として観音開き方式と引き戸方式があるが、利用空間が制限される厨房やオフィス等においては、その前方への開放空間を必要としない引き戸構造が好ましく採用されている。
【０００４】
ただし、キャビネット本体の内側に引き戸扉を取り付けるインセット型構造の場合には、キャビネットを構成する箱体ユニットに、引き戸扉の上下をそれぞれ支持するレール部を施すなどの特別な加工を必要とした。また、箱体ユニットを並列に配置した場合には、連続した上下レールを配設するために、側板を切欠いた箱体ユニットを用意する必要もあった。
【０００５】
そこで、前記のようなユニットキャビネットに引き戸を取り付けるための構造として、キャビネット本体の木口部（外周部）に引き戸枠を配設し、この引き戸枠に扉を取り付けるアウトセット型の構造が提案されている（特許文献１）。すなわちこの特許文献１の引き戸取付構造では、引き戸枠の上辺を上レール、下辺を下レールによって構成しており、レール加工や側板の切欠き等を備えた特別な箱体ユニットを用いることなく、通常の箱体ユニットの自由な組み合わせによってキャビネットを構成することを可能としている。
【０００６】
また、引き戸を取り付ける場合、扉の底面を下レールに載置して滑走させる方式と、扉の上部を上レールに摺動自在に吊り下る方式（上吊方式）があるが、特許文献１の引き戸取付構造では、引き戸枠を構成する上レールと下レールを選択することによって、いずれの方式においても引き戸を取り付けることが可能となっている。
【０００７】
【特許文献１】
特開２００１−２２７２４９号公報
【０００８】
【発明が解決しようとする課題】
特許文献１において提案されている引き戸取付構造は、キャビネットを構成する箱体ユニットに特別な加工を必要とせず、通常の箱ユニットの自由な組み合わせを可能とする点において、優れた取付構造である。
【０００９】
しかしながら、特許文献１の引き戸取付構造の場合には、フレーム体としての引き戸枠をキャビネット本体の木口部に外付けするため、外観意匠性において問題点を有していた。特に、キャビネットを多段式とした場合の上段キャビネットにこの引き戸取付構造を採用した場合には、下レールの存在によって、上段キャビネットの引き戸面と、下段キャビネットの扉面との外観的な連続性が損なわれるという不都合が存在した。
【００１０】
この出願の発明は、以上のとおりの事情に鑑みてなされたものであって、多段式キャビネットの上段キャビネットに上吊方式の引き戸を取り付ける場合に、上段キャビネットの引き戸面と、下段キャビネットの扉面との連続性が保たれる外観意匠性に優れた引き戸取付構造を提供することを課題としている。
【００１１】
【課題を解決するための手段】
この出願の発明は、上記の課題を解決するための手段として、第１には、多段式キャビネットの上段キャビネットの引き戸取付構造であって、上段キャビネットの天板前方に固定される上レール部と、上レール部にスライド自在に吊り下げられる引き戸と、引き戸の下方を支持する下レール部とを有し、下レール部は上段キャビネットと下段キャビネットの間に嵌入され、引き戸の裏面に水平配置されたガイド突起部が下レール部に摺動自在に係合していることを特徴とする引き戸取付構造を提供する。
【００１２】
またこの出願の発明は、第２には、上レール部の前面に化粧板が着脱自在に固定される引き戸取付構造を、第３には、上レール部が、その位置決め手段によって上キャビネット天板前方の所定位置に固定される引き戸取付構造を提供する。
【００１３】
【発明の実施の形態】
この出願の発明は上記のとおりの特徴をもつものであるが、以下にその実施の形態について詳しく説明する。
【００１４】
添付した図１は、この出願の発明の一実施形態を例示した側面図である。この図１に例示したように、この出願の発明の引き戸取付構造は、上段キャビネット（１０）と下段キャビネット（２０）とからなる多段式キャビネットの上段キャビネット（１０）に引き戸（３０）を取り付けるための構造である。上段キャビネット（１０）と下段キャビネット（２０）は、それぞれ単一の箱体ユニットによって構成されていてもよく、あるいは複数の箱体ユニットの組み合わせによって構成されていてもよい。
【００１５】
引き戸（３０）は上レール部（４０）にスライド自在に吊り下げられ、その下部は下レール部（５０）によって保持される。引き戸（３０）は上段キャビネット（１０）と同一の素材（例えば金属板等）と色調からなる成型品とすることができり、上レール部（４０）および下レール部（５０）は鋼材等の折り曲げ加工品等を使用することができる。
【００１６】
上レール部（４０）は上段キャビネット（１０）の天板（１１）に、前方へ突出した状態で固定される。図１の例では、天板（１１）上に配置された固定部材（６０）（例えば木材や樹脂等）に上レール部（４０）を嵌合固定しているが、固定強度が確保されるのであれば上レール部（４０）を天板（１１）上に直接固定してもよい。そして例えば、この上レール部（４０）内の吊車（４１）に引き戸（３０）の上部を連結することによって、引き戸（３０）をスライド自在とすることができる。
【００１７】
またこの上レール部（４０）は、図２に側面図を例示したように、その前面に化粧板を着脱自在に固定するための係止溝部（４２）を有してもよい。図１に例示したように、この係止溝部（４２）に化粧板（７０）を嵌合することによって、上レール部（４０）や固定部材（６０）の存在を覆い隠すことができる。また化粧板（７０）を天井面（８０）に当接させることによって、天井面（８０）と上段キャビネット（１０）とを外観的に連続化させることもできる。さらに、この上レール部（４０）には、これを上段キャビネット（１０）の天板（１１）の所定位置に固定するための位置決め手段を設けることも好ましい。例えば、図２に例示したような突起片（４３）を後方下端に設け、この突起片（４３）を天板（１１）の前面に当接させることによって、上レール部（４０）を常に一定の位置で固定することが可能となる。
【００１８】
下レール部（５０）は、上段キャビネット（１０）と下段キャビネット（２０）との間に嵌入される。この図１の例では、別部材としてのスペーサー（９０）（例えば木材や樹脂等）を介在させて空間を形成し、この空間に下レール部（５０）を嵌入している。また、上段キャビネット（１０）の底板（１２）および／または下段キャビネット（２０）の天板（２１）に台座や突起片等を延設させて、下レール部（５０）を嵌入するための空間を確保するようにしてもよい。
【００１９】
そしてこの下レール部（５０）に対しては、引き戸（３０）の裏面に水平配置されたガイド突起部（１００）が摺動自在に係合している。下レール部（５０）は、図３に側面図を例示したように、上板（５１）、奥板（５２）および下板（５３）からなる前方開口のレール体であって、前方の開口から挿入されたガイド突起部（１００）が、上板（５１）に形成された係合溝部（５４）に係合されるようになっている。この係合溝部（５４）は、奥板（５２）や下板（５３）に形成されてもよいが、係合溝部（５４）内に塵等が堆積することによってガイド突起部（１００）の摺動性が損なわれることを防止するためには、図１および図３に例示したように、溝部（５４）を上板（５１）に形成することが推奨される。
【００２０】
以上のとおりの構造によって、下レール部（５０）が引き戸（３０）の裏側に位置することとなり、上段キャビネット（１０）の引き戸（３０）と下段キャビネット（２０）の扉（２２）との外観上の連続性が良好に確保されることになる。
【００２１】
なおガイド突起部（１００）は様々な方法で引き戸（３０）の裏面に配設することができる。例えば、図４に例示したように、引き戸（３０）の下部にフレーム体（１１０）を取付け、これにガイド突起部（１００）を延設させるようにしてもよい。また、このようなフレーム体（１１０）には、引き戸（３０）の把手（１２０）を併せて配設することもできる。
【００２２】
もちろん、この出願の発明は以上の例によって限定されるものではなく、細部については様々な態様が可能であることは言うまでもない。
【００２３】
【発明の効果】
以上詳しく説明したとおり、この出願の発明によって、多段式キャビネットの上段キャビネットに上吊方式で引き戸を取り付ける場合に、上段キャビネットの引き戸面と下段キャビネットの扉面との連続性が確保され、キャビネット全体の外観意匠性が良好なものとなる。
【図面の簡単な説明】
【図１】この出願の発明の一実施形態を例示した側面図である。
【図２】上レール部を例示した側面図である。
【図３】下レールを例示した側面図である。
【図４】ガイド突起体を含む部材を例示した拡大側面図である。
【符号の説明】
１０  上段キャビネット
１１  天板
１２  底板
２０  下段キャビネット
２１  天板
２２  扉
３０  引き戸
４０  上レール部
４１  吊車
４２  係止溝部
４３  突起片
５０  下レール部
５１  上板
５２  奥板
５３  下板
５４  係合溝部
６０  固定部材
７０  化粧板
８０  天井面
９０  スペーサー
１００    ガイド突起部
１２０    把手
【図１】
2004225244.tif 000003
【図２】
2004225244.tif 000004
【図３】
2004225244.tif 000005
【図４】
2004225244.tif 000006